(57)【要約】【課題】装置の製造コストの増加を抑制する。【解決手段】実施形態の一態様に係る異常検出装置は、生成部と、複数の検出部と、異常検出部とを備える。生成部は、複数の電池セルが直列接続された電池スタックを複数有する組電池の電池スタックの一端それぞれに生成した交流信号を供給する。複数の検出部は、複数の電池スタックの他端にそれぞれ接続され、生成部が生成する交流信号を検出する。異常検出部は、複数の検出部が検出した交流信号に基づいて組電池の異常を検出する。【選択図】図１Ｂ
2018026888.tif 000002
【特許請求の範囲】
【請求項１】
複数の電池セルが直列接続された電池スタックを複数有する組電池の前記電池スタックの一端それぞれに生成した交流信号を供給する生成部と、
複数の前記電池スタックの他端にそれぞれ接続され、前記生成部が生成する前記交流信号を検出する複数の検出部と、
複数の前記検出部が検出した前記交流信号に基づいて前記組電池の異常を検出する異常検出部と、
を備えることを特徴とする異常検出装置。
【請求項２】
前記生成部が順次前記交流信号を生成し、順次複数の前記電池スタックの一端に供給するように前記生成部を制御する信号制御部をさらに備え、
複数の前記検出部は、
前記生成部が順次生成した前記交流信号を検出すること
を特徴とする請求項１に記載の異常検出装置。
【請求項３】
前記異常検出部は、
複数の前記検出部がそれぞれ検出した複数の前記交流信号の波高値と閾値とを比較し、比較結果の組み合わせに基づいて前記組電池の異常を検出すること
を特徴とする請求項１または２に記載の異常検出装置。
【請求項４】
前記異常検出部は、
前記比較結果の前記組み合わせに基づいて前記電池スタック内に発生した断線または前記電池スタック間の異常を検出すること
を特徴とする請求項３に記載の異常検出装置。
【請求項５】
前記生成部と複数の前記電池スタックとの間をそれぞれ絶縁する複数のカップリングコンデンサと、
複数の前記検出部と複数の前記電池スタックとの間をそれぞれ絶縁する複数のカップリングコンデンサと、
をさらに備えること
を特徴とする請求項１〜４のいずれか１項に記載の異常検出装置。
【請求項６】
前記検出部が検出した前記交流信号に基づいて前記異常検出装置が正常であるか否かを診断する自己診断部をさらに備えること
を特徴とする請求項１〜５のいずれか１項に記載の異常検出装置。
【請求項７】
複数の電池セルが直列接続された電池スタックを複数有する組電池と、
前記電池スタックの一端それぞれに生成した交流信号を供給する生成部と、
複数の前記電池スタックの他端にそれぞれ接続され、前記生成部が生成する前記交流信号を検出する複数の検出部と、
複数の前記検出部が検出した前記交流信号に基づいて前記組電池の異常を検出する異常検出部と、
を備えることを特徴とする組電池システム。
【発明の詳細な説明】
【技術分野】
【０００１】
本発明は、異常検出装置および組電池システムに関する。
【背景技術】
【０００２】
従来、直列接続された複数の電池セルを有する電池スタックを直列に接続した組電池が、例えば電気自動車やハイブリッド型自動車などの高圧電源として用いられる。かかる組電池には、組電池に異常が発生しているか否かを検出する異常検出装置が接続される。
【０００３】
かかる異常検出装置は、例えば１つのフライングキャパシタを用いて高圧電源である組電池と絶縁するとともに、組電池の各電池スタックの電圧を検出する。かかる異常検出装置は、検出した電池スタックの電圧に基づいて組電池の異常を検出する（例えば特許文献１参照）。
【先行技術文献】
【特許文献】
【０００４】
【特許文献１】特開２０１４−１８３６７１号公報
【発明の概要】
【発明が解決しようとする課題】
【０００５】
しかしながら、上記異常検出装置では、複数のスイッチのオン・オフを切り換えることで、複数の電池スタックそれぞれと１つのフライングキャパシタとを順次接続する。そのため、複数の電池スタックと１つのフライングキャパシタとを接続する高圧電源側の接続線がそれぞれ必要となり、各電池スタックから１つのフライングキャパシタまで接続線を長く引き回す必要がある。これにより、装置の回路規模が増加する。
【０００６】
高圧電源側の接続線を短くする方法として、例えば複数のフライングキャパシタを用いて複数の電池スタックの電圧をそれぞれ検出する方法が考えられる。すなわち、複数のフライングキャパシタやフライングキャパシタの電圧を検出するＡＤ変換器、これらを制御し異常を検出する制御部等をそれぞれ個別の基板に実装して各電池スタックの近くに配置する、いわゆるサテライト方式で、各電池スタックの電圧を検出する方法がある。
【０００７】
これにより、フライングキャパシタと電池スタックとの距離が短くなり、これらを接続する接続線を短くすることができる。しかしながら、上述したサテライト方式では、電池スタックの個数に応じたフライングキャパシタが必要となり、装置の回路規模が増加してしまう。このように、従来の異常検出装置では、回路規模の増加によって、装置の製造コストが増加してしまうという問題があった。
【０００８】
本発明は、上記に鑑みてなされたものであって、装置の製造コストの増加を抑制することができる異常検出装置および組電池システムを提供することを目的とする。
【課題を解決するための手段】
【０００９】
上記課題を解決し、目的を達成するために、本発明の異常検出装置は、複数の生成部と、複数の検出部と、異常検出部とを備える。複数の生成部は、複数の電池セルが直列接続された電池スタックを複数有する組電池の前記電池スタックの一端それぞれに、生成した交流信号を供給する。複数の検出部は、複数の前記電池スタックの他端にそれぞれ接続され、前記生成部が生成する前記交流信号を検出する。異常検出部は、複数の前記検出部が検出した前記交流信号に基づいて前記組電池の異常を検出する。
【発明の効果】
【００１０】
本発明によれば、装置の製造コストの増加を抑制することができる。
【図面の簡単な説明】
【００１１】
【図１Ａ】図１Ａは、実施形態にかかる異常検出処理の概要を説明する図である。
【図１Ｂ】図１Ｂは、実施形態にかかる異常検出処理の概要を説明する図である。
【図１Ｃ】図１Ｃは、実施形態にかかる異常検出処理の概要を説明する図である。
【図２】図２は、実施形態にかかる組電池システムの構成例を示す図である。
【図３Ａ】図３Ａは、実施形態にかかる第２生成部が生成したパルス信号が通過する経路を説明する図である。
【図３Ｂ】図３Ｂは、実施形態にかかる第１生成部が生成したパルス信号が通過する経路を説明する図である。
【図４】図４は、実施形態にかかる第１、第２生成部が生成するパルス信号と、第１、第２検出部の検出結果とを示す図である。
【図５Ａ】図５Ａは、実施形態にかかる電池スタックに異常が発生した場合のパルス信号の経路を示す図である。
【図５Ｂ】図５Ｂは、実施形態にかかる電池スタックに異常が発生した場合のパルス信号の経路を示す図である。
【図６Ａ】図６Ａは、実施形態にかかる電池スタックに異常が発生した場合のパルス信号の経路を示す図である。
【図６Ｂ】図６Ｂは、実施形態にかかる電池スタックに異常が発生した場合のパルス信号の経路を示す図である。
【図７Ａ】図７Ａは、実施形態にかかる電池スタック間にオープン異常が発生した場合のパルス信号の経路を示す図である。
【図７Ｂ】図７Ｂは、実施形態にかかる電池スタック間にオープン異常が発生した場合のパルス信号の経路を示す図である。
【図８】図８は、実施形態にかかるパルス信号と異常箇所との関係を表すテーブル示す図である。
【図９】図９は、実施形態にかかる異常検出処理を示すフローチャートである。
【発明を実施するための形態】
【００１２】
以下、添付図面を参照して、本願の開示する異常検出装置および組電池システムの実施形態を詳細に説明する。なお、以下に示す実施形態によりこの発明が限定されるものではない。
【００１３】
図１Ａ〜図１Ｃを用いて実施形態にかかる異常検出装置が行う異常検出処理の概要について説明する。図１Ａ〜図１Ｃは、実施形態にかかる異常検出処理の概要を説明する図である。本実施形態にかかる異常検出処理は、たとえば電気自動車やハイブリッド型自動車などの電源として用いられる組電池Ｂｔの異常を検出する処理であり、異常検出装置１で実行される。そこで、まず図１Ａを用いて組電池Ｂｔを備える組電池システムＳの概要について説明する。
【００１４】
図１Ａの組電池システムＳは、組電池Ｂｔと異常検出装置１とを備える。組電池Ｂｔは、複数の電池スタックＢ１〜ＢＮ（Ｎは２以上の自然数）を有する。なお、図１Ａでは、Ｎ＝２、すなわち組電池Ｂｔが２つの電池スタックＢ１、Ｂ２を有する場合を示している。複数の電池スタックＢ１、Ｂ２は、接続部材Ｌ１を介して直列に接続される。
【００１５】
電池スタックＢ１、Ｂ２は、それぞれ複数の電池セルを有する。複数の電池セルは、それぞれ直列に接続される。すなわち、複数の電池セルが直列に接続されて１つの電池スタックを構成する。また、複数の電池スタックＢ１、Ｂ２が直列に接続されて１つの組電池Ｂｔを構成する。組電池Ｂｔの両端それぞれとグランドとの間に、絶縁抵抗Ｒがそれぞれ設けられる。なお、絶縁抵抗Ｒは実際に設けられている抵抗ではなく、組電池Ｂｔと車体との間に介在する仮想的な抵抗である。
【００１６】
異常検出装置１は、組電池Ｂｔに発生する異常を検出する。組電池Ｂｔに発生する異常には、例えば電池スタックＢ１、Ｂ２の間を接続する接続部材Ｌ１が外れることで、電池スタックＢ１、Ｂ２間が断線しオープンとなるオープン異常がある。
【００１７】
また、組電池Ｂｔの各電池セルには、電池セルの内部圧力が上昇したときに、電流経路を機械的に遮断するディスコネクト素子（CID：Current  Interrupt  Device）が設けられている。異常検出装置１は、電池スタックＢ１、Ｂ２間のオープン異常や、ＣＩＤ（図示せず）による電流経路遮断が発生した場合に、組電池Ｂｔの異常を検出する。
【００１８】
異常検出装置１は、第１、第２生成部１０１、１０２と、第１、第２検出部２０１、２０２と、異常検出部３０とを備える。第１、第２生成部１０１、１０２は、電池スタックＢ１、Ｂ２の一端にそれぞれ接続される。
【００１９】
第１、第２生成部１０１、１０２は、カップリングコンデンサ４１１、４１２を介して電池スタックＢ１、Ｂ２に接続されることで、高圧電源である組電池Ｂｔと電気的に絶縁される。
【００２０】
また、第１、第２生成部１０１、１０２は、それぞれ交流信号を生成する。例えば、第１、第２生成部１０１、１０２は、交流信号として所定周波数のパルス信号を順次生成する。例えば、第２生成部１０２がパルス信号を生成し電池スタックＢ２に印加した後、第１生成部１０１がパルス信号を生成し電池スタックＢ１に印加する。なお、第１、第２生成部１０１、１０２は単一の生成部とし、カップリングコンデンサ４１１またはカップリングコンデンサ４１２に順次切り替えて出力するようにしてもよい。これにより生成部を兼用でき構成を簡略化できる。
【００２１】
第１、第２検出部２０１、２０２は、複数の電池スタックＢ１、Ｂ２の他端にそれぞれ接続される。第１、第２検出部２０１、２０２は、カップリングコンデンサ４２１、４２２を介して電池スタックＢ１、Ｂ２に接続されることで、高圧電源である組電池Ｂｔと電気的に絶縁される。
【００２２】
また、第１、第２検出部２０１、２０２は、第１、第２生成部１０１、１０２が生成する交流信号を順次検出する。具体的に、例えば第２生成部１０２がパルス信号を生成すると、第１、第２検出部２０１、２０２は、組電池Ｂｔを介して第２生成部１０２が生成したパルス信号を検出する。その後、第１生成部１０１がパルス信号を生成すると、第１、第２検出部２０１、２０２は、組電池Ｂｔを介して第１生成部１０１が生成したパルス信号を検出する。
【００２３】
異常検出部３０は、第１、第２検出部２０１、２０２が検出したパルス信号に基づいて組電池Ｂｔの異常を検出する。例えば、図１Ａに示すように第２生成部１０２がパルス信号Ｓ２０を生成したものとする。この場合、第１検出部２０１はカップリングコンデンサ４１２、電池スタックＢ２、接続部材Ｌ１、電池スタックＢ１およびカップリングコンデンサ４２１を通過したパルス信号Ｓ２１を検出する。組電池Ｂｔに異常が発生していない場合、第１検出部２０１が検出するパルス信号Ｓ２１は、第２生成部１０２が生成するパルス信号Ｓ２０とほぼ同じ信号波形となる。
【００２４】
また、第２検出部２０２は、カップリングコンデンサ４１２、電池スタックＢ２およびカップリングコンデンサ４２２を通過したパルス信号Ｓ２２を検出する。組電池Ｂｔに異常が発生していない場合、第２検出部２０２が検出するパルス信号Ｓ２２は、第２生成部１０２が生成するパルス信号Ｓ２０とほぼ同じ信号波形となる。
【００２５】
ここで、図１Ｂに示すように、例えば接続部材Ｌ１が外れたことによって、電池スタックＢ１、Ｂ２間にオープン異常が発生したものとする。この場合、理想的には、電池スタックＢ１、Ｂ２間のインピーダンスが無限大となる。
【００２６】
しがたって、理想的には、第１検出部２０１が検出するパルス信号Ｓ２１の波高値はゼロとなる。しかしながら、実際には、電池スタックＢ１、Ｂ２間でインピーダンスが有限の値に増加する。電池スタックＢ１、Ｂ２間のインピーダンスは、例えば数ＭΩに増加する。そのため、第１検出部２０１は、第２生成部１０２が生成するパルス信号Ｓ２０の波高値より低い波高値を有するパルス信号Ｓ２１を検出する。
【００２７】
異常検出部３０は、第１、第２検出部２０１、２０２が検出したパルス信号Ｓ２１、Ｓ２２の波高値と閾値Ｔｈ１とを比較することで、波高値が閾値Ｔｈ１より小さいパルス信号Ｓ２１を検出する。
【００２８】
また、図１Ｃに示すように、第１生成部１０１がパルス信号Ｓ１０を生成したとする。第１生成部１０１が生成したパルス信号Ｓ１０を第１、第２検出部２０１、２０２それぞれが検出する。
【００２９】
第１検出部２０１は、カップリングコンデンサ４１１、電池スタックＢ１およびカップリングコンデンサ４２１を含む経路を介して、第１生成部１０１が生成したパルス信号Ｓ１０をパルス信号Ｓ１１として検出する。
【００３０】
このとき、例えば接続部材Ｌ１が外れ、電池スタックＢ１、Ｂ２間のインピーダンスが増加しても、第１検出部２０１は、接続部材Ｌ１を経由していないパルス信号Ｓ１１を検出する。そのため、第１検出部２０１は、波高値がパルス信号Ｓ１０とほぼ同程度のパルス信号Ｓ１１を検出する。
【００３１】
一方、第２検出部２０２は、カップリングコンデンサ４１１、接続部材Ｌ１およびカップリングコンデンサ４２２を含む経路を介して、第１生成部１０１が生成したパルス信号Ｓ１０をパルス信号Ｓ１２として検出する。このパルス信号Ｓ１２は、インピーダンスが増加した電池スタックＢ１、Ｂ２間を通過している。そのため、第２検出部２０２は、波高値がパルス信号Ｓ１０より低いパルス信号Ｓ１２を検出する。
【００３２】
異常検出部３０は、第１、第２検出部２０１、２０２が検出したパルス信号Ｓ２１、Ｓ２２の波高値と閾値Ｔｈ１とを比較することで、波高値が閾値Ｔｈ１より小さいパルス信号Ｓ１２を検出する。
【００３３】
異常検出部３０は、第１、第２検出部２０１、２０２が検出したパルス信号Ｓ２１、Ｓ２２、Ｓ１１、Ｓ１２の波高値と閾値Ｔｈ１との比較することで、波高値が閾値Ｔｈ１より小さいパルス信号Ｓ１２、Ｓ２１と、波高値が閾値以上であるパルス信号Ｓ１１、Ｓ２２とに分ける。
【００３４】
異常検出部３０は、波高値が閾値Ｔｈ１以上であるパルス信号Ｓ１１、Ｓ２２（以下、波高値が大きいパルス信号とも記載する）と閾値Ｔｈ１より小さいパルス信号Ｓ１２、Ｓ２１（以下、波高値が小さいパルス信号とも記載する）との組み合わせに基づいて組電池Ｂｔの異常を検出する。例えば、図１では、異常検出部３０は、電池スタックＢ１、Ｂ２間にオープン異常を検出する。
【００３５】
なお、異常検出部３０が検出する組電池Ｂｔの異常は、電池スタックＢ１、Ｂ２間のオープン異常に限定されない。例えば、組電池Ｂｔの異常としてＣＩＤにより電池セルの電流経路が遮断される、いわゆるＣＩＤ切れが発生する場合がある。
【００３６】
かかる場合も、オープン異常の場合と同様に、波高値が大きいパルス信号と小さいパルス信号の組み合わせに基づいてＣＩＤ切れを検出することができる。このように異常検出部３０は、組電池Ｂｔに発生する種々の異常を検出する。異常検出部３０が検出する異常とパルス信号の組み合わせについては、図４を用いて後述する。
【００３７】
このように、異常検出装置１は、第１、第２検出部２０１、２０２が検出したパルス信号Ｓ１２、Ｓ２１に基づいて組電池Ｂｔの異常を検出することができる。
【００３８】
また、第１、第２生成部１０１、１０２、第１、第２検出部２０１、２０２は、カップリングコンデンサ４１１、４１２、４２１、４２２を介して組電池Ｂｔと絶縁されている。従って、カップリングコンデンサ４１１、４１２、４２１、４２２を組電池Ｂｔの近くに配置することで、かかるカップリングコンデンサ４１１、４１２、４２１、４２２と組電池Ｂｔとを接続する高圧電源側の接続線を短くすることができる。
【００３９】
また、本実施形態にかかる異常検出装置１では、フライングキャパシタやＡＤ変換器を用いずに、パルス信号Ｓ１０、Ｓ２０を第１、第２生成部１０１、１０２が生成し、かかるパルス信号Ｓ１０、Ｓ２０を第１、第２検出部２０１、２０２が検出することで組電池Ｂｔの異常を検出する。
【００４０】
第１、第２生成部１０１、１０２や第１、第２検出部２０１、２０２は、フライングキャパシタやＡＤ変換器に比べて簡易に構成でき、回路規模が小さい。そのため、電池スタックＢ１、Ｂ２ごとに第１、第２生成部１０１、１０２および第１、第２検出部２０１、２０２を設けても、フライングキャパシタやＡＤ変換器を電池スタックＢ１、Ｂ２ごとに設ける場合に比べて、異常検出装置１の回路規模の増加を抑制することができ、異常検出装置１の製造コストの増加を抑制することができる。
【００４１】
また、パルス信号Ｓ１０、Ｓ２０を生成し、検出するという簡易な方法で組電池Ｂｔの異常を検出することができ、異常検出装置１の消費電力を低減することができる。
【００４２】
続いて、図２を用いて、本実施形態にかかる組電池システムＳの詳細について説明する。図２は、実施形態にかかる組電池システムＳの構成例を示す図である。図２に示す組電池システムＳは組電池Ｂｔと、組電池Ｂｔの異常を検出する異常検出装置１とを備える。
【００４３】
組電池Ｂｔは、複数の電池スタックＢ１〜ＢＮ（Ｎは２以上の自然数）を有する。また、電池スタックＢｋは、接続部材Ｌｋを介して隣接する電池スタックＢｋ＋１と接続される（ｋ＝１〜Ｎ−１）。このように、複数の電池スタックＢ１〜ＢＮは、接続部材Ｌ１〜Ｌ（Ｎ−１）を介して互いに直列に接続される。また、組電池Ｂｔの両端それぞれとグランドとの間に絶縁抵抗Ｒがそれぞれ設けられる。
【００４４】
電池スタックＢ１〜ＢＮは、それぞれ１以上の電池ブロックで構成される。図２に示す例では、電池スタックＢ１〜ＢＮが１つの電池ブロックで構成される場合について示しているが、電池ブロックは２以上であってもよい。
【００４５】
また、電池スタックＢ１〜ＢＮは、複数の電池セルを有する。複数の電池セルは、互いに直列に接続される。また、複数の電池セルは、図示しないＣＩＤがそれぞれ設けられている。ＣＩＤは、電池セルの内部圧力が上昇したときに、電流経路を機械的に遮断する。
【００４６】
このように、ＣＩＤが遮断する、いわゆるＣＩＤ切れが発生することで、電池セルの内部圧力の上昇を抑制する。また、ＣＩＤ切れが発生すると、ＣＩＤ切れが発生した電池セルを含む電池スタックＢ１〜ＢＮの電流経路が遮断されることで電池スタックＢ１〜ＢＮが断線し、電池スタックＢ１〜ＢＮのインピーダンスが数ＭΩに増加する。
【００４７】
さらに、例えば、電池スタックＢｋ、Ｂｋ＋１を接続する接続部材Ｌｋが外れることで、電池スタックＢｋ、Ｂｋ＋１間にオープン異常が発生することがある。この場合、電池スタックＢｋ、Ｂｋ＋１間のインピーダンスが数ＭΩに増加する。
【００４８】
本実施形態にかかる異常検出装置１は、上述したＣＩＤ切れによる電池スタックＢ１〜ＢＮの異常や電池スタックＢｋ、Ｂｋ＋１間のオープン異常が発生した場合に、組電池Ｂｔの異常を検出する。異常検出装置１は、第１〜第Ｎ生成部１０１〜１０Ｎと、第１〜第Ｎ検出部２０１〜２０Ｎと、カップリングコンデンサ４１１〜４１Ｎ、４２１〜４２Ｎと、制御部１００とを備える。
【００４９】
第１〜第Ｎ生成部１０１〜１０Ｎは、対応する電池スタックＢ１〜ＢＮの一端（図２では負極側）に接続され、交流信号を生成する。第１〜第Ｎ生成部１０１〜１０Ｎは、パルス生成回路１１１〜１１Ｎを備える。パルス生成回路１１１〜１１Ｎは、交流信号としてパルス信号Ｓ１０〜ＳＮ０を生成する。
【００５０】
第１〜第Ｎ検出部２０１〜２０Ｎは、対応する電池スタックＢ１〜ＢＮの他端（図２では正極側）に接続され、組電池Ｂｔを介して第１〜第Ｎ生成部１０１〜１０Ｎが生成したパルス信号Ｓ１０〜ＳＮ０を検出する。第１〜第Ｎ検出部２０１〜２０Ｎは、検出結果を制御部１００に出力する。
【００５１】
カップリングコンデンサ４１１〜４１Ｎは、それぞれ第１〜第Ｎ生成部１０１〜１０Ｎと電池スタックＢ１〜ＢＮの一端との間に設けられる。カップリングコンデンサ４１１〜４１Ｎは、第１〜第Ｎ生成部１０１〜１０Ｎと電池スタックＢ１〜ＢＮとをそれぞれ電気的に絶縁する。
【００５２】
また、カップリングコンデンサ４２１〜４２Ｎは、それぞれ第１〜第Ｎ検出部２０１〜２０Ｎと電池スタックＢ１〜ＢＮの他端との間に設けられる。カップリングコンデンサ４２１〜４２Ｎは、第１〜第Ｎ検出部２０１〜２０Ｎと電池スタックＢ１〜ＢＮとをそれぞれ電気的に絶縁する。
【００５３】
組電池Ｂｔは基準電位が高い高電圧システムである。また、異常検出装置１は、組電池Ｂｔの基準電位より低い基準電位で動作する低電圧システムである。カップリングコンデンサ４１１〜４１Ｎ、４２１〜４２Ｎは、高電圧システムである組電池Ｂｔと低電圧システムである異常検出装置１とを絶縁するために設けられる。
【００５４】
また、カップリングコンデンサ４１１〜４１Ｎ、４２１〜４２Ｎは、同じ電池スタックＢ１〜ＢＮに接続されるコンデンサ同士が１つの基板に設けられ、接続される電池スタックＢ１〜ＢＮと物理的に近い位置に配置される。これにより、カップリングコンデンサ４１１〜４１Ｎ、４２１〜４２Ｎと電池スタックＢ１〜ＢＮとをそれぞれ接続する高電圧側の接続線の長さを短くすることができる。これにより、異常検出装置１の回路規模を抑制することができ、また高電圧側の接続線の引き回し等の回路設計を容易に行うことができる。
【００５５】
また、第１〜第Ｎ生成部１０１〜１０Ｎおよび第１〜第Ｎ検出部２０１〜２０Ｎは、例えば１つの基板に設けられる。制御部１００は、例えばＥＣＵ（Engine  Control  Unit）に実装される。このように第１〜第Ｎ生成部１０１〜１０Ｎおよび第１〜第Ｎ検出部２０１〜２０Ｎと制御部１００とは異なるＩＣ（Integrated  Circuit）に実装される。
【００５６】
これにより、例えば電池スタックＢ１〜ＢＮの個数Ｎが増減した場合であっても、第１〜第Ｎ生成部１０１〜１０Ｎおよび第１〜第Ｎ検出部２０１〜２０Ｎの数を電池スタックＢ１〜ＢＮの個数にあわせて容易に増減させることができる。
【００５７】
なお、例えば同じ電池スタックＢ１〜ＢＮに接続されるカップリングコンデンサ４１１〜４１Ｎ、４２１〜４２Ｎ、第１〜第Ｎ生成部１０１〜１０Ｎおよび第１〜第Ｎ検出部２０１〜２０Ｎを１つの基板上にそれぞれ実装するようにしてもよい。これにより、電池スタックＢ１〜ＢＮの個数Ｎが増減した場合に１つの基板を追加または削減することで、生成部、検出部およびカップリングコンデンサを追加または削減することが可能となる。これにより、異常検出装置１は、電池スタックＢ１〜ＢＮの個数Ｎにより容易に対応することが可能となる。
【００５８】
制御部１００は、ＣＰＵ（Central  Processing  Unit）および記憶部７０などを備えたマイクロコンピュータであり、異常検出装置１全体を制御する。制御部１００は、例えば上述したようにＥＣＵに実装される。制御部１００は、マイクロコンピュータでソフトウェア的に実現される機能として、異常検出部３０と信号制御部５０と自己診断部６０とを備える。
【００５９】
信号制御部５０は、パルス信号Ｓ１０〜ＳＮ０を生成するように、第１〜第Ｎ生成部１０１〜１０Ｎを制御する。信号制御部５０は、第Ｎ、・・・第２、第１生成部１０Ｎ、・・・、１０２、１０１の順にパルス信号Ｓ１０〜ＳＮ０を生成するよう第１〜第Ｎ生成部１０１〜１０Ｎを制御する。信号制御部５０は、パルス信号Ｓ１０〜ＳＮ０を生成する第１〜第Ｎ生成部１０１〜１０Ｎを、異常検出部３０に通知する。
【００６０】
このように、信号制御部５０は、順次パルス信号Ｓ１０〜ＳＮ０を生成させるという簡易な方法で第１〜第Ｎ生成部１０１〜１０Ｎを制御することができる。これにより、信号制御部５０を含む異常検出装置１の消費電力を低減することができる。
【００６１】
なお、ここでは、信号制御部５０が、組電池Ｂｔに含まれる電池スタックＢ１〜ＢＮのうち、電位の低い電池スタックＢＮに接続される第Ｎ生成部１０Ｎから順次パルス信号Ｓ１０〜ＳＮ０を生成するよう、第１〜第Ｎ生成部１０１〜１０Ｎを制御するとしたが、これに限定されない。
【００６２】
例えば、信号制御部５０が、組電池Ｂｔに含まれる電池スタックＢ１〜ＢＮのうち、電位の高い電池スタックＢＮに接続される第１生成部１０１から順次パルス信号Ｓ１０〜ＳＮ０を生成するよう、第１〜第Ｎ生成部１０１〜１０Ｎを制御するようにしてもよい。
【００６３】
また、１回の異常検出処理で全ての第１〜第Ｎ生成部１０１〜１０Ｎがパルス信号Ｓ１０〜ＳＮ０を生成すればよく、例えばランダムな順番でパルス信号Ｓ１０〜ＳＮ０を生成するよう、第１〜第Ｎ生成部１０１〜１０Ｎを制御するようにしてもよい。このようにパルス信号Ｓ１０〜ＳＮ０を生成する順序は、上述した例に限定されない。
【００６４】
異常検出部３０は、第１〜第Ｎ検出部２０１〜２０Ｎが検出したパルス信号に基づいて、組電池Ｂｔの異常を検出する。異常検出部３０は、第ｎ生成部１０ｎ（ｎ＝１〜Ｎ）が生成したパルス信号Ｓｎ０と、パルス信号Ｓｎ０を第ｍ検出部２０ｍ（ｍ＝１〜Ｎ）が検出した結果との組み合わせに基づいて組電池Ｂｔの異常を検出する。
【００６５】
図３Ａ〜図７Ｂを用いて、異常検出部３０が行う組電池Ｂｔの異常検出の詳細を説明する。なお、以下、説明を簡略化するために、電池スタックＢ１〜ＢＮの個数が２個、すなわちＮ＝２の場合について説明する。
【００６６】
図３Ａは、第２生成部１０２が生成したパルス信号Ｓ２０が通過する経路を説明する図である。図３Ｂは、第１生成部１０１が生成したパルス信号Ｓ１０が通過する経路を説明する図である。
【００６７】
また、図４は、第１、第２生成部１０１、１０２が生成するパルス信号Ｓ１０、２０と、第１、第２検出部２０１、２０２の検出結果とを示す図である。なお、図３Ａ、図３Ｂでは、図面を簡略化するために経路の説明に必要な構成要素を示し、その他の構成要素の図示を省略している。
【００６８】
図３Ａに示すように、第２生成部１０２で生成されたパルス信号Ｓ２０は、カップリングコンデンサ４１２、電池スタックＢ２、接続部材Ｌ１、電池スタックＢ１およびカップリングコンデンサ４２１を含む経路Ｒ２１を通過し、パルス信号Ｓ２１として第１検出部２０１に検出される。
【００６９】
また、第２生成部１０２で生成されたパルス信号Ｓ２０は、カップリングコンデンサ４１２、電池スタックＢ２およびカップリングコンデンサ４２２を含む経路Ｒ２２を通過し、パルス信号Ｓ２２として第２検出部２０２に検出される。
【００７０】
図３Ｂに示すように、第１生成部１０１で生成されたパルス信号Ｓ１０は、カップリングコンデンサ４１１、電池スタックＢ１およびカップリングコンデンサ４２１を含む経路Ｒ１１を通過して、パルス信号Ｓ１１として第１検出部２０１に検出される。
【００７１】
また、第１生成部１０１で生成されたパルス信号Ｓ１０は、カップリングコンデンサ４１１、接続部材Ｌ１およびカップリングコンデンサ４２２を含む経路Ｒ１２を通過して、パルス信号Ｓ１２として第２検出部２０２に検出される。
【００７２】
ここで、組電池Ｂｔに異常が発生しておらず正常である場合、第１、第２検出部２０１、２０２は、第１、第２生成部１０１、１０２が生成したパルス信号Ｓ１０、Ｓ２０とほぼ同じ波高値を有するパルス信号Ｓ１１、Ｓ１２、Ｓ２１、Ｓ２２を検出する。
【００７３】
したがって、第２生成部１０２がパルス信号Ｓ２０を生成し、その後、第１生成部１０１がパルス信号Ｓ１０を生成したとする。組電池Ｂｔが正常な場合、図４に示すように、第２検出部２０２は、パルス信号Ｓ２０とほぼ同じ波高値を有するパルス信号Ｓ２２を検出し、その後、パルス信号Ｓ１０とほぼ同じ波高値を有するパルス信号Ｓ１２を検出する。
【００７４】
同様に、第１検出部２０１は、パルス信号Ｓ２０とほぼ同じ波高値を有するパルス信号Ｓ２１を検出し、その後、パルス信号Ｓ１０とほぼ同じ波高値を有するパルス信号Ｓ１１を検出する。
【００７５】
次に、組電池Ｂｔに異常が発生した場合について説明する。まず、電池スタックＢ２が有する電池セルにＣＩＤ切れが発生したため、電池スタックＢ２に異常が発生した場合について説明する。
【００７６】
なお、図５Ａおよび図５Ｂは、電池スタックＢ２に異常が発生した場合のパルス信号Ｓ１０、Ｓ２０の経路Ｒ１１、Ｒ１２、Ｒ２１、Ｒ２２を示す図である。また、図５Ａ、図５Ｂでは、図面を簡略化するために経路の説明に必要な構成要素を示し、その他の構成要素の図示を省略している。
【００７７】
電池スタックＢ２の電池セルにＣＩＤ切れが発生した場合、電池スタックＢ２のインピーダンスが数ＭΩに増加する。図５Ａに示すように、電池スタックＢ２は、第２生成部１０２が生成するパルス信号Ｓ２０が通過する経路Ｒ２１、Ｒ２２の両方に含まれている。そのため経路Ｒ２１、Ｒ２２のインピーダンスが数ＭΩに増加する。
【００７８】
これにより、第１、第２検出部２０１、２０２が検出するパルス信号Ｓ２１、Ｓ２２は、いずれも第２生成部１０２が生成するパルス信号Ｓ２０より波高値が低いパルス信号となる。
【００７９】
一方、図５Ｂに示すように、電池スタックＢ２は、第１生成部１０１が生成するパルス信号Ｓ１０が通過する経路Ｒ１１、Ｒ１２には含まれていない。そのため、第１、第２検出部２０１、２０２が検出するパルス信号Ｓ１１、Ｓ１２は、パルス信号Ｓ１０とほぼ同じ波高値を有するパルス信号となる。
【００８０】
電池スタックＢ２に異常が発生している場合に、第２生成部１０２がパルス信号Ｓ２０を生成し、その後、第１生成部１０１がパルス信号Ｓ１０を生成したとする。この場合、図４に示すように、第２検出部２０２は、パルス信号Ｓ２０より波高値が低いパルス信号Ｓ２２を検出し、その後、パルス信号Ｓ１０とほぼ同じ波高値を有するパルス信号Ｓ１２を検出する。
【００８１】
また、第１検出部２０１は、パルス信号Ｓ２０より波高値が低いパルス信号Ｓ２１を検出し、その後、パルス信号Ｓ１０とほぼ同じ波高値を有するパルス信号Ｓ１１を検出する。
【００８２】
続いて、電池スタックＢ１が有する電池セルにＣＩＤ切れが発生したため、電池スタックＢ１に異常が発生した場合について説明する。
【００８３】
図６Ａおよび図６Ｂは、電池スタックＢ１に異常が発生した場合のパルス信号Ｓ１０、Ｓ２０の経路Ｒ１１、Ｒ１２、Ｒ２１、Ｒ２２を示す図である。また、図６Ａ、図６Ｂでは、図面を簡略化するために経路の説明に必要な構成要素を示し、その他の構成要素の図示を省略している。
【００８４】
電池スタックＢ１の電池セルにＣＩＤ切れが発生した場合、電池スタックＢ１のインピーダンスが数ＭΩに増加する。図６Ａに示すように、電池スタックＢ１は、第２生成部１０２が生成するパルス信号Ｓ２０が通過する経路Ｒ２１には含まれるが、経路Ｒ２２には含まれない。そのため、経路Ｒ２１のインピーダンスが数ＭΩに増加し、経路Ｒ２２のインピーダンスは増加しない。
【００８５】
これにより、第２検出部２０２が検出するパルス信号Ｓ２２は、第２生成部１０２が生成するパルス信号Ｓ２０とほぼ同じ波高値を有するパルス信号となる。また、第１検出部２０１が検出するパルス信号Ｓ２１は、第２生成部１０２が生成するパルス信号Ｓ２０より波高値が低いパルス信号となる。
【００８６】
また、図６Ｂに示すように、電池スタックＢ１は、第１生成部１０１が生成するパルス信号Ｓ１０が通過する経路Ｒ１１には含まれるが、経路Ｒ１２には含まれない。そのため、経路Ｒ１１のインピーダンスが数ＭΩに増加し、経路Ｒ１２のインピーダンスは増加しない。
【００８７】
これにより、第２検出部２０２が検出するパルス信号Ｓ１２は、第１生成部１０１が生成するパルス信号Ｓ１０とほぼ同じ波高値を有するパルス信号となる。また、第１検出部２０１が検出するパルス信号Ｓ１１は、第１生成部１０１が生成するパルス信号Ｓ１０より波高値が低いパルス信号となる。
【００８８】
したがって、電池スタックＢ１に異常が発生している場合に、第２生成部１０２がパルス信号Ｓ２０を生成し、その後、第１生成部１０１がパルス信号Ｓ１０を生成したとする。この場合、図４に示すように、第２検出部２０２は、パルス信号Ｓ２０とほぼ同じ波高値を有するパルス信号Ｓ２２を検出し、その後、パルス信号Ｓ１０とほぼ同じ波高値を有するパルス信号Ｓ１２を検出する。
【００８９】
また、第１検出部２０１は、パルス信号Ｓ２０より波高値が低いパルス信号Ｓ２１を検出し、その後、パルス信号Ｓ１０より波高値が低いパルス信号Ｓ１１を検出する。
【００９０】
次に、例えば電池スタックＢ１、Ｂ２間の接続部材Ｌ１が外れたため、電池スタックＢ１、Ｂ２間にオープン異常が発生した場合について説明する。
【００９１】
図７Ａおよび図７Ｂは、電池スタックＢ１、Ｂ２間にオープン異常が発生した場合のパルス信号Ｓ１０、Ｓ２０の経路Ｒ１１、Ｒ１２、Ｒ２１、Ｒ２２を示す図である。また、図７Ａ、図７Ｂでは、図面を簡略化するために経路の説明に必要な構成要素を示し、その他の構成要素の図示を省略している。
【００９２】
電池スタックＢ１、Ｂ２間にオープン異常が発生した場合、電池スタックＢ１、Ｂ２間のインピーダンスが数ＭΩに増加する。図７Ａに示すように、接続部材Ｌ１は、第２生成部１０２が生成するパルス信号Ｓ２０が通過する経路Ｒ２１に含まれるが、経路Ｒ２２には含まれない。そのため、経路Ｒ２１のインピーダンスが数ＭΩに増加し、経路Ｒ２２のインピーダンスは増加しない。
【００９３】
そのため、第２検出部２０２が検出するパルス信号Ｓ２２は、第２生成部１０２が生成するパルス信号Ｓ２０とほぼ同じ波高値を有するパルス信号となる。また、第１検出部２０１が検出するパルス信号Ｓ２１は、第２生成部１０２が生成するパルス信号Ｓ２０より波高値が低いパルス信号となる。
【００９４】
これにより、第２検出部２０２が検出するパルス信号Ｓ１２は、第１生成部１０１が生成するパルス信号Ｓ１０より波高値が低いパルス信号となる。また、第１検出部２０１が検出するパルス信号Ｓ１１は、第１生成部１０１が生成するパルス信号Ｓ１０とほぼ同じ波高値を有するパルス信号となる。
【００９５】
したがって、電池スタックＢ１、Ｂ２間に異常が発生している場合に、第２生成部１０２がパルス信号Ｓ２０を生成し、その後、第１生成部１０１がパルス信号Ｓ１０を生成したとする。
【００９６】
この場合、図４に示すように、第２検出部２０２は、パルス信号Ｓ２０とほぼ同じ信号波形を有するパルス信号Ｓ２２を検出し、その後、パルス信号Ｓ１０より波高値が低いパルス信号Ｓ１２を検出する。
【００９７】
また、第１検出部２０１は、パルス信号Ｓ２０より波高値が低いパルス信号Ｓ２１を検出し、その後、パルス信号Ｓ１０とほぼ同じ信号波形を有するパルス信号Ｓ１１を検出する。
【００９８】
このように、組電池Ｂｔに異常が発生すると、異常が発生した箇所に応じて、第１、第２検出部２０１、２０２が検出するパルス信号Ｓ１１、Ｓ１２、Ｓ２１、Ｓ２２の波高値が低くなる。
【００９９】
そこで、異常検出部３０は、第１、第２検出部２０１、２０２が検出するパルス信号Ｓ１１、Ｓ１２、Ｓ２１、Ｓ２２を、閾値Ｔｈ１と比較する。異常検出部３０は、パルス信号Ｓ１１、Ｓ１２、Ｓ２１、Ｓ２２のいずれかが閾値Ｔｈ１より小さい場合、当該パルス信号が異常であると判定する。この場合、異常検出部３０は、組電池Ｂｔの異常を検出する。
【０１００】
この場合、異常検出部３０は、異常であると判定したパルス信号と、組電池Ｂｔに印加したパルス信号Ｓ１０、Ｓ２０との組み合わせに応じて、組電池Ｂｔのどこで異常が発生したか、異常箇所を特定する。
【０１０１】
例えば、異常検出部３０は、図８に示すテーブルに基づいて組電池Ｂｔの異常箇所を特定する。図８は、パルス信号Ｓ１０〜Ｓ１２、Ｓ２０〜Ｓ２２と異常箇所との関係を表すテーブルを示す図である。図８に示すテーブルは、例えば図２に示す記憶部７０に記憶されている。
【０１０２】
異常検出部３０は、例えば図８に示すテーブルに基づき、第１、第２生成部１０１、１０２が生成したパルス信号Ｓ１０、Ｓ２０をそれぞれ組電池Ｂｔに印加した場合に異常と判定されたパルス信号Ｓ１１、Ｓ１２、Ｓ２１、Ｓ２２の組み合わせに応じて異常箇所を特定する。
【０１０３】
例えば、第１、第２生成部１０１、１０２が生成したパルス信号Ｓ１０、Ｓ２０を組電池Ｂｔにそれぞれ印加した場合に、異常検出部３０が、第１、第２検出部２０１、２０２が検出したパルス信号Ｓ１１、Ｓ１２、Ｓ２１、Ｓ２２は正常であると判定したとする。この場合、異常検出部３０は、組電池Ｂｔが正常であるとし、異常を検出しない。
【０１０４】
また、第２生成部１０２が生成したパルス信号Ｓ２０を組電池Ｂｔに印加した場合に、異常検出部３０が、第１、第２検出部２０１、２０２が検出したパルス信号Ｓ２１、Ｓ２２はいずれも異常であると判定したとする。
【０１０５】
さらに、第１生成部１０１が生成したパルス信号Ｓ１０を組電池Ｂｔに印加した場合に、異常検出部３０が、第１、第２検出部２０１、２０２が検出したパルス信号Ｓ１１、Ｓ１２はいずれも正常であると判定したとする。この場合、異常検出部３０は、電池スタックＢ２の電池セルにＣＩＤ切れが発生したことで、電池スタックＢ２に発生した異常を検出する。
【０１０６】
次に、第２生成部１０２が生成したパルス信号Ｓ２０を組電池Ｂｔに印加した場合に、異常検出部３０が、第２検出部２０２が検出したパルス信号Ｓ２２は正常であり、第１検出部２０１が検出したパルス信号Ｓ２１は異常であると判定したとする。
【０１０７】
さらに、第１生成部１０１が生成したパルス信号Ｓ１０を組電池Ｂｔに印加した場合に、異常検出部３０が、第２検出部２０２が検出したパルス信号Ｓ１２は正常であり、第１検出部２０１が検出したパルス信号Ｓ１１は異常であると判定したとする。この場合、異常検出部３０は、電池スタックＢ１の電池セルにＣＩＤ切れが発生したことで、電池スタックＢ１に発生した異常を検出する。
【０１０８】
また、第２生成部１０２が生成したパルス信号Ｓ２０を組電池Ｂｔに印加した場合に、異常検出部３０が、第２検出部２０２が検出したパルス信号Ｓ２２は正常であり、第１検出部２０１が検出したパルス信号Ｓ２１は異常であると判定したとする。
【０１０９】
さらに、第１生成部１０１が生成したパルス信号Ｓ１０を組電池Ｂｔに印加した場合に、異常検出部３０が、第２検出部２０２が検出したパルス信号Ｓ１２は異常であり、第１検出部２０１が検出したパルス信号Ｓ１１は正常であると判定したとする。この場合、異常検出部３０は、電池スタックＢ１、Ｂ２間の接続部材Ｌ１に発生したオープン異常を検出する。
【０１１０】
このように、異常検出部３０は第１、第２検出部２０１、２０２で異常を検出したパルス信号の組み合わせに基づいて組電池Ｂｔの異常箇所を特定する。これにより、異常検出部３０は、組電池Ｂｔの異常箇所をより確実に特定することができる。
【０１１１】
また、異常検出部３０は、第１、第２検出部２０１、２０２で検出したパルス信号のうち波高値が閾値Ｔｈ１より小さいパルス信号に基づいて組電池Ｂｔの異常を検出する。すなわち、異常検出部３０は、第１、第２生成部１０１、１０２で生成したパルス信号Ｓ１０、Ｓ２０が検出できなかった場合に、組電池Ｂｔの異常を検出する。そのため、異常検出部３０は、組電池Ｂｔの異常を見逃すことなく検出することができる。
【０１１２】
図２の自己診断部６０は、第１、第２検出部２０１、２０２の検出結果に応じて、異常検出装置１の自己診断を行う。具体的には、自己診断部６０は、異常検出部３０が組電池Ｂｔの異常を検出せず、組電池Ｂｔが正常であると判定した場合に、異常検出装置１が正常であると診断する。すなわち、第１、第２生成部１０１、１０２が生成したパルス信号Ｓ１０、Ｓ２０それぞれを第１、第２検出部２０１、２０２で正常に検出できた場合に、異常検出装置１が正常であると診断する。
【０１１３】
このように、異常検出装置１は、自身が正常であるか否かを診断する自己診断を容易に行うことができる。
【０１１４】
図２に示す記憶部７０は、異常検出部３０が異常検出を行う場合に参照するテーブルなど、制御部１００の各部が行う処理に必要な情報を記憶する。また、記憶部７０は、制御部１００の各部が行う必要な情報を記憶する。記憶部７０は、例えばＲＡＭ（Random  Access  Memory)、フラッシュメモリ等の半導体メモリ素子、または、ハードディスク、光ディスク等の記憶装置である。
【０１１５】
図９を用いて、異常検出装置１が行う異常検出処理について説明する。図９は、本実施形態にかかる異常検出処理を示すフローチャートである。異常検出装置１は、例えば１００ｍｓ〜３００ｍｓの所定周期で図９に示す異常検出処理を実行するものとする。
【０１１６】
まず、異常検出装置１は、変数ｎを電池スタックＢ１〜Ｎの個数Ｎとすることで、変数ｎの初期化を行う（ステップＳ１０１）。異常検出装置１は、第ｎ生成部１０ｎがパルス信号Ｓｎ０を生成するよう制御する（ステップＳ１０２）。
【０１１７】
次に、第ｎ生成部１０ｎが生成したパルス信号Ｓｎ０を、第１〜第Ｎ検出部２０１〜２０Ｎが検出する（ステップＳ１０３）。異常検出装置１は、変数ｎが１以下か否か判定することによって、全ての第１〜第Ｎ生成部１０１〜１０Ｎがパルス信号Ｓ１０〜ＳＮ０を生成したか否かを判定する（ステップＳ１０４）。
【０１１８】
変数ｎが１より大きい場合（ステップＳ１０４；Ｎｏ）、まだパルス信号Ｓｎ０を生成していない第ｎ生成部１０ｎが存在する。そこで、異常検出装置１は、変数ｎから「１」を減算し（ステップＳ１０５）、ステップＳ１０２に戻る。
【０１１９】
一方、変数ｎが１以下の場合（ステップＳ１０４；Ｙｅｓ）、全ての第１〜第Ｎ生成部１０１〜１０Ｎでパルス信号Ｓ１０〜ＳＮ０を生成している。そこで、異常検出装置１は、第１〜第Ｎ検出部２０１〜２０Ｎの検出結果に基づいて組電池Ｂｔの異常を検出する（ステップＳ１０６）。
【０１２０】
以上のように、本実施形態にかかる異常検出装置１は、第１〜第Ｎ生成部１０１〜１０Ｎが生成したパルス信号Ｓ１０〜ＳＮ０それぞれを、第１〜第Ｎ検出部２０１〜２０Ｎが検出することで組電池Ｂｔの異常を検出することができる。
【０１２１】
このように、フライングキャパシタやＡＤ変換器を用いずに、回路構成が簡易な第１〜第Ｎ生成部１０１〜１０Ｎおよび第１〜第Ｎ検出部２０１〜２０Ｎを用いて組電池Ｂｔの異常を検出することで、異常検出装置１の回路規模の増加を抑制することができる。
【０１２２】
また第１〜第Ｎ生成部１０１〜１０Ｎ、第１〜第Ｎ検出部２０１〜２０Ｎと組電池Ｂｔとを絶縁するカップリングコンデンサ４１１〜４１Ｎ、４２１〜４２Ｎを組電池Ｂｔの近くに配置することで、かかるカップリングコンデンサ４１１〜４１Ｎ、４２１〜４２Ｎと組電池Ｂｔとを接続する高圧電源側の接続線を短くすることができる。
【０１２３】
このように、異常検出装置１の回路規模の増加を抑制し、高圧電源側の接続線を短くすることで、異常検出装置１の製造コストの増加を抑制することができる。
【０１２４】
なお、上記実施形態では、電池スタックＢ１〜ＢＮの正極側に第１〜第Ｎ検出部２０１〜２０Ｎを接続し、負極側に第１〜第Ｎ生成部１０１〜１０Ｎを接続したが、これに限定されない。例えば第１〜第Ｎ生成部１０１〜１０Ｎを電池スタックＢ１〜ＢＮの正極側に接続し、第１〜第Ｎ検出部２０１〜２０Ｎを負極側に接続してもよい。
【０１２５】
また、上記実施形態では、第１〜第Ｎ検出部２０１〜２０Ｎがパルス信号Ｓ１０〜ＳＮ０を順次生成することで、組電池Ｂｔの異常を検出するとともに、組電池Ｂｔの異常箇所を特定したが、これに限定されない。
【０１２６】
例えば、組電池Ｂｔの異常を検出してから組電池Ｂｔの異常箇所を特定するようにしてもよい。具体的には、異常検出装置１は、例えば組電池Ｂｔの端部に接続される第Ｎ生成部１０Ｎ（図２参照）が生成したパルス信号ＳＮ０を組電池Ｂｔに印加する。
【０１２７】
このとき、第１〜第Ｎ検出部２０１〜２０Ｎで検出したパルス信号の少なくとも１つの波高値が閾値Ｔｈ１より小さい場合、異常検出装置１は組電池Ｂｔの異常を検出する。
【０１２８】
その後、異常検出装置１は、第１〜第Ｎ−１生成部１０１〜１０（Ｎ−１）が順次パルス信号Ｓ１０〜Ｓ（Ｎ−１）０を組電池Ｂｔに印加した場合の第１〜第Ｎ検出部２０１〜２０Ｎの検出結果に応じて異常箇所を特定する。
【０１２９】
以上のように、上記実施形態にかかる異常検出装置１は、生成部１０１〜１０Ｎと、複数の検出部２０１〜２０Ｎと、異常検出部３０とを備える。生成部１０１〜１０Ｎは、複数の電池セルが直列接続された電池スタックＢ１〜ＢＮを複数有する組電池Ｂｔの電池スタックＢ１〜ＢＮの一端それぞれに生成した交流信号を供給する。複数の検出部２０１〜２０Ｎは、複数の電池スタックＢ１〜ＢＮの他端にそれぞれ接続され、生成部１０１〜１０Ｎが生成する交流信号を検出する。異常検出部３０は、複数の検出部２０１〜２０Ｎが検出した交流信号に基づいて組電池Ｂｔの異常を検出する。
【０１３０】
これにより、異常検出装置１は、構成が簡易な生成部１０１〜１０Ｎと検出部２０１〜２０Ｎとを用いて組電池Ｂｔの異常を検出することができ、異常検出装置１の製造コストの増加を低減することができる。
【０１３１】
また、異常検出装置１は、交流信号を生成し検出するという簡易な方法で組電池Ｂｔの異常を検出するため、異常検出装置１の消費電力を低減することができる。
【０１３２】
上記実施形態にかかる異常検出装置１は、生成部１０１〜１０Ｎが順次交流信号を生成し、順次複数の電池スタックＢ１〜ＢＮの一端に供給するように生成部１０１〜１０Ｎを制御する信号制御部５０をさらに備える。また、異常検出装置１の複数の検出部２０１〜２０Ｎは、生成部１０１〜１０Ｎが順次生成した交流信号を検出する。
【０１３３】
これにより、異常検出装置１は、簡易な制御方法で生成部１０１〜１０Ｎを制御することができ、異常検出装置１の消費電力を低減することができる。
【０１３４】
上記実施形態にかかる異常検出装置１の異常検出部３０は、複数の検出部２０１〜２０Ｎがそれぞれ検出した複数の複数の交流信号の波高値と閾値とを比較し、比較結果の組み合わせに基づいて組電池Ｂｔの異常を検出する。
【０１３５】
これにより、異常検出装置１は、検出部２０１〜２０Ｎで検出できなかった交流信号の組み合わせに基づいて組電池Ｂｔの異常を検出することができ、組電池Ｂｔの異常を見逃すことなく検出することができる。
【０１３６】
上記実施形態にかかる異常検出装置１の異常検出部３０は、比較結果の組み合わせに基づいて電池スタックＢ１〜ＢＮ内に発生した断線または電池スタックＢ１〜ＢＮ間の異常を検出する。
【０１３７】
これにより、異常検出装置１は、組電池Ｂｔの異常箇所をより確実に特定することができる。
【０１３８】
上記実施形態にかかる異常検出装置１は、生成部１０１〜１０Ｎと複数の電池スタックＢ１〜ＢＮとの間をそれぞれ絶縁する複数のカップリングコンデンサ４１１〜４１Ｎと、複数の検出部２０１〜２０Ｎと複数の電池スタックＢ１〜ＢＮとの間をそれぞれ絶縁する複数のカップリングコンデンサ４２１〜４２Ｎと、をさらに備える。
【０１３９】
これにより、異常検出装置１は、カップリングコンデンサ４１１〜４１Ｎ、４２１〜４２Ｎと電池スタックＢ１〜ＢＮとを接続する高電圧側の接続線の長さを短くすることができ、異常検出装置１の回路規模を抑制することができる。また高電圧側の接続線の引き回し等の回路設計を容易に行うことができる。
【０１４０】
上記実施形態にかかる異常検出装置１は、検出部２０１〜２０Ｎが検出した交流信号に基づいて異常検出装置１が正常であるか否かを診断する自己診断部６０をさらに備える。
【０１４１】
これにより、異常検出装置１は、自身が正常であるか否かを診断する自己診断を容易に行うことができる。
【０１４２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１４３】
１  異常検出装置
１０１〜１０Ｎ  生成部
２０１〜２０Ｎ  検出部
３０  異常検出部
４１１〜４１Ｎ、４２１〜４２Ｎ  カップリングコンデンサ
５０  信号制御部
６０  自己診断部
７０  記憶部
【図１Ａ】
2018026888.tif 000003
【図１Ｂ】
2018026888.tif 000004
【図１Ｃ】
2018026888.tif 000005
【図２】
2018026888.tif 000006
【図３Ａ】
2018026888.tif 000007
【図３Ｂ】
2018026888.tif 000008
【図４】
2018026888.tif 000009
【図５Ａ】
2018026888.tif 000010
【図５Ｂ】
2018026888.tif 000011
【図６Ａ】
2018026888.tif 000012
【図６Ｂ】
2018026888.tif 000013
【図７Ａ】
2018026888.tif 000014
【図７Ｂ】
2018026888.tif 000015
【図８】
2018026888.tif 000016
【図９】
2018026888.tif 000017